(57)【要約】【課題】予め人手を介して準備しておかなければならない薬剤の手撒き作業を、間違いなく、しかも効率的に行う。【解決手段】複数の薬剤収容部１８と、各薬剤収容部１８の位置を特定するための位置特定部２０とを有する薬剤手動供給手段３と、薬剤収容部１８に手撒きするための薬剤に関する情報を呼び出すための被読取手段と、処方明細欄１３を表示する表示手段６と、被読取手段を読み取るための読取手段７と、読み込まれた処方データに基づいて薬剤収容部１８に手撒きする薬剤に関する情報を読み込み、表示手段６に表示した処方明細欄１３に表示させ、読取手段７で被読取部が読み取られることにより、表示させた薬剤を他と識別可能とし、該当する薬剤を手撒きする薬剤収容部１８の位置が識別可能となるように位置特定部２０を制御する制御手段５とを備える。【選択図】図２
2014128740.tif 000002
【特許請求の範囲】
【請求項１】
複数の薬剤収容部と、前記各薬剤収容部の位置を特定するための位置特定部とを有する薬剤手動供給手段と、
前記薬剤手動供給手段の薬剤収容部に手撒きするための薬剤に関する情報を呼び出すための被読取手段と、
処方明細欄を表示する表示手段と、
前記被読取手段を読み取るための読取手段と、
読み込まれた処方データに基づいて前記薬剤手動供給手段の薬剤収容部に手撒きする薬剤に関する情報を読み込み、前記表示手段に表示した処方明細欄に、読み込んだ薬剤に関する情報を表示させ、前記読取手段で前記被読取手段が読み取られることにより、表示させた薬剤を他と識別可能とし、該当する薬剤を手撒きする薬剤収容部の位置が識別可能となるように前記薬剤手動供給手段の位置特定部を制御する制御手段と、
を備えたことを特徴とする薬剤供給装置。
【請求項２】
前記薬剤手動供給手段の位置特定部は、薬剤収容部毎に設けた発光体からなる位置表示部で構成し、
前記制御手段は、前記読取手段で前記被読取部が読み取られることにより、該当する薬剤を手撒きすべき薬剤収容部に対応する発光体を点灯させることを特徴とする請求項１に記載の薬剤供給装置。
【請求項３】
前記薬剤手動供給手段の位置特定部は、薬剤収容部毎に設けた色彩の異なる複数の発光体からなる位置表示部で構成し、
前記発光体の各色は、前記処方明細欄に表示させた各薬剤に対応させたことを特徴とする請求項１に記載の薬剤供給装置。
【請求項４】
前記薬剤手動供給手段は、前記薬剤収容部に収容する薬剤の数量を表示可能とする数量表示部をさらに備えたことを特徴とする請求項３に記載の薬剤供給装置。
【請求項５】
前記薬剤手動供給手段の位置特定部は、音声により案内する構成を有することを特徴とする請求項１から４のいずれか１項に記載の薬剤供給装置。
【請求項６】
前記被読取手段は、薬瓶に設けたバーコード又はＲＦＩＤであることを特徴とする請求項１から５のいずれか１項に記載の薬剤供給装置。
【請求項７】
前記位置特定部は、前記薬剤手動供給手段の薬剤収容部のレイアウトを表示するディスプレイであり、
前記制御手段は、前記薬剤手動供給手段の薬剤収容部への薬剤の手撒きが完了することにより、前記位置特定部での表示状態を、手撒きが完了した位置と、手撒きが完了していない位置とで識別可能なものに切り替えることを特徴とする請求項１に記載の薬剤供給装置。
【発明の詳細な説明】
【技術分野】
【０００１】
本発明は、薬剤供給装置に関するものである。
【背景技術】
【０００２】
従来、薬剤供給装置として、例えば、処方データに基づいて、複数の収納区画のそれぞれに対応して設けた案内手段の点灯により、投入すべき収納区画を案内し、案内手段と別に設けた表示手段に、薬剤の１服用分の数量を表示させるようにしたものが公知である（例えば、特許文献１参照）。
【０００３】
しかしながら、特許文献１では、薬剤を投入する収納区画がどこであるのかは、そこに設けた案内手段によって案内されるものの、投入すべき薬剤の数量については、別に設けた表示手段での表示内容を確認する必要がある。このため、視線の位置を大きく変更しなければならず、投入する薬剤の数量を誤る恐れがある。
【０００４】
また、他の薬剤供給装置として、予備撒きカセットに縦横複数の区画室を形成し、手撒き処方の内容に従って使用すべき区画室の位置又は範囲を指示する表示手段を設けたものや、予備撒きカセットに使用するマスの個数を表示する手段を設けたものが公知である（例えば、特許文献２、３参照）。
【０００５】
しかしながら、特許文献２、３では、予備撒きカセットに使用するマスの個数が表示されるだけであり、薬剤を手撒きするマスの個数は分かるものの、どの薬剤をどのマスにどれだけ手撒きすればよいのかは不明である。つまり、薬剤の手撒き作業を効率的に行うことは望めない。
【先行技術文献】
【特許文献】
【０００６】
【特許文献１】特開２００４−２０３４３３号公報
【特許文献２】特許第２５０９８２１号公報
【特許文献３】特許第２８６６５４３号公報
【発明の概要】
【発明が解決しようとする課題】
【０００７】
本発明は、予め人手を介して準備しておかなければならない薬剤の手撒き作業を、間違いなく、しかも効率的に行うことのできる薬剤供給装置を提供することを課題とする。
【課題を解決するための手段】
【０００８】
本発明は、前記課題を解決するための手段として、
複数の薬剤収容部と、前記各薬剤収容部の位置を特定するための位置特定部とを有する薬剤手動供給手段と、
前記薬剤手動供給手段の薬剤収容部に手撒きするための薬剤に関する情報を呼び出すための被読取手段と、
処方明細欄を表示する表示手段と、
前記被読取手段を読み取るための読取手段と、
読み込まれた処方データに基づいて前記薬剤手動供給手段の薬剤収容部に手撒きする薬剤に関する情報を読み込み、前記表示手段に表示した処方明細欄に、読み込んだ薬剤に関する情報を表示させ、前記読取手段で前記被読取手段が読み取られることにより、表示させた薬剤を他と識別可能とし、該当する薬剤を手撒きする薬剤収容部の位置が識別可能となるように前記薬剤手動供給手段の位置特定部を制御する制御手段と、
を備えたことを特徴とする薬剤供給装置を提供する。
【０００９】
前記薬剤手動供給手段の位置特定部は、薬剤収容部毎に設けた発光体からなる位置表示部で構成し、
前記制御手段は、前記読取手段で前記被読取部が読み取られることにより、該当する薬剤を手撒きすべき薬剤収容部に対応する発光体を点灯させるのが好ましい。
【００１０】
前記薬剤手動供給手段の位置特定部は、薬剤収容部毎に設けた色彩の異なる複数の発光体からなる位置表示部で構成し、
前記発光体の各色は、前記処方明細欄に表示させた各薬剤に対応させるのが好ましい。
【００１１】
前記薬剤手動供給手段は、前記薬剤収容部に収容する薬剤の数量を表示可能とする数量表示部をさらに備えるのが好ましい。
【００１２】
前記薬剤手動供給手段の位置特定部は、音声により案内する構成を有するのが好ましい。
【００１３】
前記被読取手段は、薬瓶に設けたバーコード又はＲＦＩＤであるのが好ましい。
【００１４】
前記位置特定部は、前記薬剤手動供給手段の薬剤収容部のレイアウトを表示するディスプレイであり、
前記制御手段は、前記薬剤手動供給手段の薬剤収容部への薬剤の手撒きが完了することにより、前記位置特定部での表示状態を、手撒きが完了した位置と、手撒きが完了していない位置とで識別可能なものに切り替えるのが好ましい。
【発明の効果】
【００１５】
本発明によれば、薬剤手動供給手段に薬剤を手撒きする場合、対象となる薬剤を取り違えることがなくなる。特に、複数の患者の処方を一括処理する際、同種薬が含まれる場合であっても、取り違えを防止でき、手撒きの作業性を向上させることができる。
【図面の簡単な説明】
【００１６】
【図１】本実施形態に係る薬剤供給装置を備えた薬剤分包装置の概略を示す斜視図である。
【図２】本実施形態に係る薬剤分包装置のブロック図である。
【図３Ａ】図１の操作パネルに表示される案内画面を示す図である。
【図３Ｂ】図３Ａの例での具体的な服用時期及び服用量を示す図表である。
【図４Ａ】図１の手撒き薬剤供給部の概略を示す平面図である。
【図４Ｂ】図３Ａのアルファロールを連続分包する場合の手撒き薬剤供給部の７セグメントディスプレイの表示形態を示す説明図である。
【図４Ｃ】図３Ａのバファリンを連続分包する場合の手撒き薬剤供給部の７セグメントディスプレイの表示形態を示す説明図である。
【図４Ｄ】図３Ａのアキネート錠を連続分包する場合の手撒き薬剤供給部の７セグメントディスプレイの表示形態を示す説明図である。
【図４Ｅ】図３Ａのアルファロールを反復分包する場合の手撒き薬剤供給部の７セグメントディスプレイの表示形態を示す説明図である。
【図５】図２の制御装置による表示制御処理の内容を示すフローチャート図である。
【図６】他の実施形態に係る手撒き薬剤供給部の概略を示す平面図である。
【図７】他の実施形態に係る操作パネルに表示される案内画面を示す図である。
【図８】他の実施形態に係る手撒き薬剤供給部の概略を示す平面図である。
【発明を実施するための形態】
【００１７】
以下、本発明に係る実施形態を添付図面に従って説明する。なお、以下の説明は、本質的に例示に過ぎず、本発明、その適用物或いはその用途を制限することを意図するものではない。
【００１８】
図１は、本実施形態に係る薬剤分包装置を示す。この薬剤分包装置は、大略、装置本体１内に、薬剤自動供給装置２と、薬剤手動供給装置３（手撒き装置＝ＤＴＡ装置）と、薬剤包装装置４と、制御装置５とを備えた構成である。
【００１９】
装置本体１は、略直方体形状で、図１中、前面の上半部右側には、上方側から順に、操作パネル６、バーコードリーダ７、ジャーナルプリンタ８がそれぞれ配置されている。操作パネル６はタッチパネルからなり、例えば、案内画面９が表示されるようになっている。
【００２０】
案内画面９は、図３に示すように、表題欄１０、包数欄１１、患者欄１２、処方明細欄１３、その他欄１４、及び、各種ボタンで構成されている。表題欄１０には表示内容が何に関するものであるかが表示される。図３の例では、表題欄１０に「次処方のＤＴＡです。」と表示され、表示内容が次の処方が薬剤手動供給装置３から払い出す薬剤に関するものである旨をユーザに報知する内容となっている。包数欄１１には、ある処方データでの全包装数が表示される。患者欄１２には、患者の氏名、用法（薬剤の服用方法）等が表示される。処方明細欄１３には、処方する薬剤の名称、用量等が表示される。その他欄１４は、紙残量（包装紙の残量）、ＤＴＡ予約数（薬剤手動供給装置３にセットされた処方数）、温度（包装紙のシール温度）、通信（サーバとの通信状態、通信中であれば○、そうでなければ×と表示）で構成されている。バーコードリーダ７は、後述するカセット等に貼着されたラベルのバーコードを読み取り、薬剤情報を読み込むために利用される。ジャーナルプリンタ８は、処方データ（患者名、薬剤名、用法、用量等）を印刷するためのものである。
【００２１】
薬剤自動供給装置２は、例えば、従来公知の構造のものを使用することができる（例えば、特開平８−１８３５０２号等参照）。すなわち、同種の薬剤（主に、錠剤であるが、カプセル剤等も含まれる。）毎にそれぞれ収容された複数の薬剤カセットが設けられている。そして、処方データに基づいて、自動的に、該当する薬剤が収容された薬剤カセットから処方数量だけ払い出され、後述する薬剤包装装置４に供給されることにより、１包分ずつ包装できるようになっている。
【００２２】
薬剤手動供給装置３は、装置本体１の前面の中央部（やや下方側）から前方に向かって引出可能に設けたスライド台１５を備える。スライド台１５は、薬剤手動供給部１６と、カセット載置部１７とを備える。
【００２３】
薬剤手動供給部１６は、格子状に区画されることにより複数の薬剤収容部１８が形成されている。各薬剤収容部１８には、後述する薬剤包装装置４で包装される１服用分（服用時期単位）の薬剤が、図示しない薬瓶から手作業にて収容される。各薬剤収容部１８の底面は開放可能となっており、スライド台１５が装置本体１内に収容された状態で、順次開放することにより、収容した薬剤を薬剤包装装置４へと排出する。各薬剤収容部１８の近傍（ここでは、右側）には、ＬＥＤ（Light Emitting Diode）で構成される７セグメントディスプレイ１９がそれぞれ配置され、表示部材２０を構成している（図４参照）。
【００２４】
なお、表示部材２０には、ＬＥＤに代えて、照射式のものや、液晶パネル、有機ＥＬパネル（organic electroluminescence display）等の平面状のディスプレイを使用することも可能である。特に、タッチパネルを採用すれば、手巻きが終了したマスに対応する部分がタッチ操作されることにより、背景色を変更させて、マス毎に一目で完了状況が分かるようにすることができる。この場合さらに、作業完了時に漏れが無いかシステムチェックして警告を出すようにしてもよい。また、表示部材２０は、薬剤収容部１８の右側に限らず、左側、上側、下側等、各薬剤収容部１８との対応関係が特定できるのであれば、いずれの位置に設けるようにしてもよい。
【００２５】
カセット載置部１７は、載置するカセット（錠剤カセットや薬瓶等）が位置ずれしないように、平面視矩形状の凹部２１を備える。凹部２１に載置される、図示しないカセット（薬剤容器）にはＲＦＩＤ（Radio Frequency IDentification）が設けられ、カセット載置部１７に設けたＲＦＩＤリーダ２２（図２参照）にて記憶した情報が読み取られるようになっている。
【００２６】
薬剤包装装置４は、例えば、従来公知の構造のものを使用することができる（例えば、特開平８−１８３５０２号等参照）。すなわち、薬剤自動供給装置２あるいは薬剤手動供給装置３から供給された薬剤を、図示しないホッパーを介して回収する。回収した薬剤は、斜め下方に向かう長手方向に２つ折りにした包装紙に供給する。包装紙は所定ピッチでシールし、供給された薬剤を１包分ずつに包装する。包装紙には、シール前に、適宜、用法、用量等を印刷する。
【００２７】
制御装置５は、図２に示すように、サーバ２３（ホストコンピュータ）やキーボード（図示せず）から入力された処方データに基づいて、薬剤自動供給装置２や薬剤手動供給装置３から該当する薬剤を払い出す払出制御を行う。また、前記カセットのＲＦＩＤがＲＦＩＤリーダで読み取られるか、貼着されたラベルに印刷したバーコードがバーコードリーダ７で読み取られれば、その薬剤が処方データに含まれる薬剤と合致しているか否かの判断を行う。さらに、後述するようにして、操作パネル６に薬剤の名称等を表示させたり、薬剤手動供給装置３の表示部材２０を点灯させて数量を表示させたりする等の表示制御を行う。さらにまた、ジャーナルプリンタ８にて所定の印刷を行わせる。そして、薬剤包装装置４にて、薬剤自動供給装置２や薬剤手動供給装置３から供給された薬剤を、１包分ずつ包装させる。
【００２８】
次に、前記構成の薬剤分包装置の動作について、図５のフローチャートに従って説明する。
【００２９】
まず、処方データを読み込み（ステップＳ１）、装置本体１の操作パネル６に図３に示す案内画面９を表示させる（ステップＳ２）。案内画面９の処方明細欄１３には、薬剤手動供給装置３に供給すべき薬剤の名称と用量をリスト表示する。このとき、表示されたリストから、これから薬剤収容部１８に収容すべき薬剤、又は薬剤の行が選択されると、例えば、ハイライト表示、反転表示等で強調表示する（ステップＳ３）。なお、処方明細欄１３に示されたリスト表示から薬剤を選択する際、薬瓶のバーコード（又はＲＦＩＤ）を読み込むようにするのが好ましい。これによれば、対象となる薬剤を取り違えることがなくなる。特に、複数の患者の処方をＤＴＡにて一括処理する際（この場合、患者名欄が複数となる。また、詳細については特許第４２５３３５７号公報参照。）、同種薬が含まれる場合であっても、取り違えを防止でき、手撒きの作業性を向上させることができる。
【００３０】
また、薬剤手動供給部１６では、操作パネル６に識別可能に表示された薬剤を収容すべき薬剤収容部１８に対応する表示部材２０に処方数を表示させる（ステップＳ４）。具体的に、図３Ａの例（アルファロール10mg９錠、バファリン5mg１４錠、アキネート錠７錠）では、図４Ａの表示部材２０で７セグメントディスプレイ１９での表示は次のようになる。すなわち、図３Ａの例での具体的な服用時期及び服用量は図３Ｂに示す通りである。アルファロールは、服用時期が朝の各１錠で７日分、服用時期が６日目及び７日目の昼の各１錠で２日分の合計９錠となっている。また、バファリンは、服用時期が朝の各１錠で７日分、服用時期が夕の各１錠で７日分の合計１４錠となっている。さらに、アキネート錠は、服用時期が昼の各１錠で７日分の合計７錠となっている。連続分包（朝、昼、夕…の服用順序に従って分包する形態）の場合、アルファロールでは、図４Ｂに示すように、右下隅の１日目から始まり、順次、７日目までの朝と、６、７日目の昼とで、７セグメントディスプレイ１９の表示が「１」となる。以下同様に、バファリンでは図４Ｃに示すようになり、アキネート錠では図４Ｄに示すようになる。また、反復分包（朝、朝…、昼、昼…の服用時期毎に分包する形態）の場合、アルファロールでは、図４Ｅに示すようになる。
【００３１】
ユーザは、表示パネルの処方明細欄１３を見て、処方すべき薬剤を確認し、図示しない薬品棚等からカセット（図示せず）を取り出し、薬剤手動供給部１６で点灯する表示部材２０の数字に従って、対応する薬剤収容部１８に、前記カセットから薬剤を表示数だけ補給すればよい。
【００３２】
ユーザは、一旦、作業を開始すれば、表示部材２０の表示に従って所定数の薬剤を各薬剤収容部１８に収容して行けばよいので、収容する薬剤収容部１８が代わる毎に、一々確認のために視線を表示パネルに戻す必要がない。したがって、各薬剤収容部１８に、該当する薬剤を、間違いなく、しかも効率良く収容することができる。また、ユーザは、該当する薬剤の各薬剤収容部１８への手撒き作業が完了すれば、操作パネル６のＤＴＡセットボタンを操作すればよい。
【００３３】
ＤＴＡセットボタンが操作され、手撒き作業が完了したことが検出されれば（ステップＳ５）、操作パネル６の処方明細欄１３に表示される薬剤の名称が複数あるか否かを判断する（ステップＳ６）。薬剤の名称が複数ある場合、処方明細欄１３に表示された次の薬剤を強調表示し、他と識別可能とする（ステップＳ７）。そして、前記ステップＳ４に戻って同様の処理を実行する。これにより、処方データに複数の薬剤が含まれる場合であっても、今どの薬剤を薬剤収容部１８に収容すべきであるのかを一目で把握することができる。ユーザは、前記同様、表示パネルの処方明細欄１３を見て、処方すべき薬剤を確認し、図示しない薬品棚等からカセットを取り出し、薬剤手動供給部１６の表示部材２０での表示に従って、対応する各薬剤収容部１８に薬剤を収容すればよい。
【００３４】
以下、操作パネル６に表示された、ある処方データに含まれる全ての薬剤についての処理が終了すれば、次の処方データがあるか否かを判断する（ステップＳ８）。次の処方データがなければ処理を終了し、あればステップＳ１に戻って次の処方データについて前記同様の処理を繰り返す。なお、操作パネル６での識別可能な表示形態を次の薬剤に移行する場合、薬剤収容部１８に薬剤を検出するためのセンサを設けておき、薬剤が収容されたことが確認されることにより、自動的に行うようにしてもよい。
【００３５】
このように、前記実施形態に係る薬剤供給装置によれば、各薬剤収容部１８に対応して表示部材２０を設け、処方データに含まれる薬剤を、どの薬剤収容部１８に収容すればよいのかを表示させるだけでなく、どれだけ収容すればよいのかをも表示させることができる。したがって、ユーザは、一々操作パネルの表示内容を確認するまでもなく、作業を進めることができ、非常に効率が良い。しかも、収容する薬剤収容部１８の近傍に表示されるので、収容数を間違えることもない。また、薬剤の手撒き作業終了後の監査作業も効率よく行うことができる。
【００３６】
なお、本発明は、前記実施形態に記載された構成に限定されるものではなく、種々の変更が可能である。
【００３７】
例えば、前記実施形態では、薬剤手動供給部１６は、各薬剤収容部１８に対応して７セグメントディスプレイ１９を配置するように構成したが、次のように構成してもよい。
【００３８】
すなわち、図６に示すように、各薬剤収容部１８に対応する位置（例えば、右側近傍）には、ある処方データに基づいて操作パネル６の処方明細欄１３に表示した薬剤をいずれの薬剤収容部１８に収容すべきかを示すためのＬＥＤ等の位置表示部２４が設けられている。そして、１箇所（必要に応じて複数箇所であってもよい。）に７セグメントディスプレイ、液晶等の数量表示部２５が設けられている。
【００３９】
前記構成の薬剤手動供給部１６によれば、ユーザは、位置表示部２４の点灯を確認して薬剤を収容すべき薬剤収容部１８を特定し、数量表示部２５に表示された数量から薬剤収容部１８に収容すべき薬剤の数量を確認することができる。数量表示部２５は、位置表示部２４の点灯を確認しながら、視認可能な位置、すなわち同一視界内に配置されているので、従来のように、操作パネル側へと視線を大きく移動させる必要がない。この結果、作業効率良く、しかも確実に薬剤を薬剤収容部１８へと収容することができる。また、高価な数量表示部２５の数を必要最小限に抑えることができるので、コストを抑制することが可能となる。
【００４０】
また、前記薬剤手動供給部１６は、次のように構成することもできる。
【００４１】
すなわち、図８に示すように、各薬剤収容部１８の近傍には、発光時の色彩が異なる３つのＬＥＤ（赤、青、黄色）からなる位置表示部２４が設けられている。そして、操作パネル６に表示する処方明細欄１３に複数の薬剤の名称を表示する場合、図７に示すように、各薬剤に、前記位置表示部２４の各ＬＥＤに合わせた色彩（ここでは円形の赤、青、黄色）を表示させる。ある処方データに含まれる薬剤が２又は３種類である場合、処方明細欄１３に表示された２又は３の薬剤に、それぞれＬＥＤの表示色に対応した各色彩の表示を行う。
【００４２】
また、薬剤手動供給部１６では、処方明細欄１３に表示した薬剤を収容すべき薬剤収容部１８に対応するＬＥＤのうち、各色に対応するＬＥＤを点灯する。これにより、どの薬剤をどの薬剤収容部１８に収容すればよいのかを、一度に把握することできる。したがって、非常に効率良く、各薬剤収容部１８に該当する薬剤を収容することができる。この場合、各色の位置表示部２４に対応させて、数量表示部２５をそれぞれ設けるようにしてもよい。これにより、各色の薬剤に対して各薬剤収容部１８に収容すべき薬剤の数量をも把握することができ、より一層、効率的に薬剤を収容することが可能となる。なお、この場合、数量表示部２５は、図４に示すように、各薬剤収容部１８の各位置表示部２４に対して個別に設けてもよいし、図６に示すように、１箇所にまとめて設けてもよい。
【００４３】
また、処方データに含まれる薬剤の種類が４以上であれば、処方明細欄１３には、３種類の薬剤を表示し、画面を切り替えることにより、残りの薬剤を表示するようにすればよい。そして、残りの薬剤が４種類以上である限り、順次、画面を切り替えてさらに残りの薬剤を表示できるようにすればよい。また、対象となる薬剤を３種類に絞り、処方明細欄１３でその３種類が他と識別可能に表示されるようにしてもよい。これにより、処方データに含まれる薬剤の種類が４以上であっても、３色のＬＥＤのみで対応することが可能となる。なお、ＬＥＤは３色に限らず、２色、あるいは、４色以上で構成してもよい。この場合、ＬＥＤの数に応じて処方明細欄１３に表示する薬剤数や、識別可能な表示数を異ならせるようにすればよい。
【００４４】
前記実施形態では、薬剤手動供給部１６に表示部材２０を設け、ユーザに視覚により案内するようにしたが、音声により聴覚に訴えるようにしてもよい。例えば、「Ａ薬を１番目に３錠収容して下さい。」等と、薬剤の名称、収容場所、及び、収容数の必要となる全ての情報を音声にて報知するのが好ましい。勿論、収容数のみ、収容数及び薬剤の名称、あるいは、収容数及び収容場所の報知であっても構わない。また、音声による報知は、操作パネル６で作業完了を示す入力があるか、あるいは、各薬剤収容部１８にセンサ（図示せず）を設け、このセンサでの検出信号により、薬剤が収容されたことが検出されるまで行うようにするのが好ましい。
【符号の説明】
【００４５】
１…装置本体
２…薬剤自動供給装置
３…薬剤手動供給装置（薬剤手動供給手段）
４…薬剤包装装置
５…制御装置（制御手段）
６…操作パネル（表示手段）
７…バーコードリーダ（読取手段）
８…ジャーナルプリンタ
９…案内画面
１０…表題欄
１１…包数欄
１２…患者欄
１３…処方明細欄
１４…その他欄
１５…スライド台
１６…薬剤手動供給部
１７…カセット載置部
１８…薬剤収容部
１９…７セグメントディスプレイ
２０…表示部材（位置特定部）
２１…凹部
２２…ＲＦＩＤリーダ（読取手段）
２３…サーバ
２４…位置表示部
２５…数量表示部
【図１】
2014128740.tif 000003
【図２】
2014128740.tif 000004
【図３Ａ】
2014128740.tif 000005
【図３Ｂ】
2014128740.tif 000006
【図４Ａ】
2014128740.tif 000007
【図４Ｂ】
2014128740.tif 000008
【図４Ｃ】
2014128740.tif 000009
【図４Ｄ】
2014128740.tif 000010
【図４Ｅ】
2014128740.tif 000011
【図５】
2014128740.tif 000012
【図６】
2014128740.tif 000013
【図７】
2014128740.tif 000014
【図８】
2014128740.tif 000015